(57)【要約】【課題】ＩＤカードが裏返されたことを簡便かつ正確に判断し、ＩＤカードの表面の画像と裏面の画像とを適切に対応付ける。【解決手段】両面印刷物の第１面と第２面とを対応付けて出力する動作モードが選択可能な画像処理装置において、画像読取部と、前記動作モードが選択された場合に、前記画像読取部で読み取った第１画像及び第２画像を解析し、前記第１画像及び前記第２画像の双方に特定のオブジェクトが含まれる場合、若しくは、前記第１画像及び前記第２画像の双方に前記特定のオブジェクトが含まれない場合は、前記第１画像及び前記第２画像が、前記両面印刷物の表面画像及び裏面画像の組み合わせではないと判断して警告を行う制御部と、を備える。【選択図】図７
2014064089.tif 000002
【特許請求の範囲】
【請求項１】
両面印刷物の第１面と第２面とを対応付けて出力する動作モードが選択可能な画像処理装置において、
画像読取部と、
前記動作モードが選択された場合に、前記画像読取部で読み取った前記両面印刷物の第１画像及び第２画像を解析し、前記第１画像及び前記第２画像の双方に特定のオブジェクトが含まれる場合、若しくは、前記第１画像及び前記第２画像の双方に前記特定のオブジェクトが含まれない場合は、前記第１画像及び前記第２画像が、前記両面印刷物の表面画像及び裏面画像の組み合わせではないと判断して警告を行う制御部と、を備える、
ことを特徴とする画像処理装置。
【請求項２】
前記特定のオブジェクトは、写真、特定のキーワード及び特定のマークの内の１つ以上を含み、
前記制御部は、前記第１画像及び前記第２画像の双方に同じ種別のオブジェクトが含まれる場合、若しくは、前記第１画像及び前記第２画像の双方に同じ種別のオブジェクトが含まれない場合は、前記第１画像及び前記第２画像が、前記両面印刷物の表面画像及び裏面画像の組み合わせではないと判断して警告を行う、
ことを特徴とする請求項１に記載の画像処理装置。
【請求項３】
表示部を備え、
前記制御部は、前記特定のオブジェクトとして、前記写真、前記特定のキーワード及び前記特定のマークの内の１つ以上をユーザに選択させる画面を前記表示部に表示させる、
ことを特徴とする請求項２に記載の画像処理装置。
【請求項４】
前記特定のキーワードは、前記両面印刷物固有の文字列、若しくは、ユーザが入力した文字列である、
ことを特徴とする請求項２又は３に記載の画像処理装置。
【請求項５】
前記特定のマークは、バーコードである、
ことを特徴とする請求項２又は３に記載の画像処理装置。
【請求項６】
画像読取部を備え、両面印刷物の第１面と第２面とを対応付けて出力する動作モードが選択可能な画像処理装置で動作する制御プログラムであって、
前記画像処理装置を、
前記動作モードが選択された場合に、前記画像読取部で読み取った前記両面印刷物の第１画像及び第２画像を解析し、前記第１画像及び前記第２画像の双方に特定のオブジェクトが含まれる場合、若しくは、前記第１画像及び前記第２画像の双方に前記特定のオブジェクトが含まれない場合は、前記第１画像及び前記第２画像が、前記両面印刷物の表面画像及び裏面画像の組み合わせではないと判断して警告を行う制御部、として機能させる、
ことを特徴とする制御プログラム。
【請求項７】
前記特定のオブジェクトは、写真、特定のキーワード及び特定のマークの内の１つ以上を含み、
前記制御部は、前記第１画像及び前記第２画像の双方に同じ種別のオブジェクトが含まれる場合、若しくは、前記第１画像及び前記第２画像の双方に同じ種別のオブジェクトが含まれない場合は、前記第１画像及び前記第２画像が、前記両面印刷物の表面画像及び裏面画像の組み合わせではないと判断して警告を行う、
ことを特徴とする請求項６に記載の制御プログラム。
【請求項８】
前記画像処理装置に表示部を備え、
前記制御部は、前記特定のオブジェクトとして、前記写真、前記特定のキーワード及び前記特定のマークの内の１つ以上をユーザに選択させる画面を前記表示部に表示させる、
ことを特徴とする請求項７に記載の制御プログラム。
【請求項９】
前記特定のキーワードは、前記両面印刷物固有の文字列、若しくは、ユーザが入力した文字列である、
ことを特徴とする請求項７又は８に記載の制御プログラム。
【請求項１０】
前記特定のマークは、バーコードである、
ことを特徴とする請求項７又は８に記載の制御プログラム。
【発明の詳細な説明】
【技術分野】
【０００１】
本発明は、画像処理装置及び制御プログラムに関し、特に、印刷物の第１面と第２面とを関連付けて出力する動作モードを備える画像処理装置及び当該画像処理装置で動作する制御プログラムに関する。
【背景技術】
【０００２】
ＭＦＰ（Multi Function Peripheral）などの画像処理装置には、印刷物の第１面と第２面とを対応付けて出力する動作モード（いわゆるＩＤコピーモード）で動作可能なものもあり、当該動作モードで免許証やパスポート、社員証などの身分証明書（以下、ＩＤカードと呼ぶ。）をコピーする（ＩＤコピーと呼ぶ。）と、ＩＤカードの表面画像と裏面画像が2in1に集約して印刷される。
【０００３】
例えば、パスポート申請を行う時、自分でＩＤカードをコピーして持参し、窓口でＩＤカード及びコピーした原稿を渡すと、真偽確認後にＩＤカードは本人に返却され、コピーした原稿はその他の書類と一緒に紙のままファイリングされる。また、申請者がコピーを持参せず、ＩＤカードのコピーを窓口で担当者が行う場合もある。また、消費資源の削減のために、ＩＤカードをスキャンして電子データとして保管する（ＩＤスキャンと呼ぶ。）場合もある。このようなＩＤコピー／ＩＤスキャンでは、ＩＤカードの表面をコピーした画像と裏面とコピーした画像とを適切に対応付ける必要がある。
【０００４】
上記ＩＤコピー／ＩＤスキャンに関する技術として、例えば、下記特許文献１には、原稿から画像を読み取る読み取り手段と、２つの原稿面の画像を１つの画像として形成する機能を有する画像形成装置であって、操作者が原稿の種類を指定する原稿種指定手段と、操作者に前記原稿種に応じて２つの原稿面の切り替えを指示する原稿面切り替え指示手段とを備え、前記指定された原稿種の前記原稿面の読み込みの際に前記原稿種と原稿面により予め特定された画像処理を行なう画像処理手段と、前記読み込んだ２つの画像を所定の出力サイズの１つの画像として形成する画像形成手段とを設けた画像形成装置が開示されており、当該公報には、原稿が変わったことを検知する原稿検知手段をさらに設け、原稿切り替え手段で原稿が変わっていないことを検出した場合は警告画面を表示する構成も開示されている。
【０００５】
また、ＩＤコピー／ＩＤスキャンに関する技術ではないが、２つの画像を適切に関連付ける技術に関して、下記特許文献２には、原稿の一方の端から原稿の中央までを読み取る第１の読み取りと、原稿の中央から原稿の他方の端までを読み取る第２の読み取りとを連続して行う分割読み取りモードと、原稿の自動搬送を行うＡＤＦモードとが選択可能なデジタル複写機において、ＡＤＦモードが選択されているか否かを判定する第１の判定手段と、分割読み取りモードが選択されているか否かを判定する第２の判定手段と、原稿読み取り手段と、ＡＤＦモードが選択されていないで、かつ、分割読み取りモードが選択されている場合に、前記原稿読み取り手段により読み取られた画像データから、原稿の特徴を抽出する抽出手段と、抽出された原稿の特徴を記憶する記憶手段と、原稿読み取り時において、そのとき抽出した原稿の特徴と、そのときより過去における原稿読み取り時において抽出され、前記記憶手段に記憶されている原稿の特徴とを比較する比較手段と、前記比較手段による比較の結果、二つの原稿の特徴が実質的に同一であった場合に、そのとき前記原稿読み取り手段により読み取られた原稿の複写を行わないようにする複写制御手段とを有するデジタル複写機が開示されている。
【先行技術文献】
【特許文献】
【０００６】
【特許文献１】特開２００９−１００１０２号公報
【特許文献２】特開平０９−２４７３８０号公報
【発明の概要】
【発明が解決しようとする課題】
【０００７】
ＩＤコピー／ＩＤスキャンでは、一つのＩＤカードの表面と裏面を個別にスキャンし、これらを2in1に集約した画像を作成し、その画像を紙媒体に印刷したり電子データとして出力したりするが、間違って表面と表面、裏面と裏面の組合せでスキャンした場合、出力された印刷物や電子データを確認しなければ間違いに気付くことができない。また、複数のＩＤカードを連続してＩＤコピー／ＩＤスキャンする場合に手順ミスが発生すると、別のカードの表面と裏面を組み合せた画像が順次出力されるため、時間や資源を著しく無駄にすることになる。
【０００８】
この問題に対して、特許文献１では、免許証等のカードの表面と裏面をスキャンして１つの画像に合成して印刷する際に、表面の読み込み処理の後、原稿カバーの開閉を検知したら、裏面に置き換えられたと判断している。しかしながら、この方法では、原稿カバーの開閉があれば、実際には表面のままであっても裏面に置き換えられたと判断され、また、別のカードの表面がセットされた場合も裏面に置き換えられたと判断されてしまう。
【０００９】
また、特許文献２では、重複コピーがされないように、読み取った画像データの特定ライン上に黒い画素数がいくつあるかを画像データの特徴として認識し、その特徴が一致する場合に、ページめくり忘れと判断して警告を行っている。しかしながら、この方法では、原稿を裏返さずに１８０度回転させた場合も、異なるデータと認識されてしまい、また、異なるページであるにもかかわらず、ライン上の黒い画素数が偶然一致した場合も、異なるデータと認識されてしまう。
【００１０】
このように、従来の方法では、ＩＤカードが裏返されたことを正確に判断することができず、ＩＤカードの表面の画像と裏面の画像とを適切に対応付けることができないという問題があった。
【００１１】
本発明は、上記問題点に鑑みてなされたものであって、その主たる目的は、ＩＤカードが裏返されたことを簡便かつ正確に判断し、ＩＤカードの表面の画像と裏面の画像とを適切に対応付けることができる画像処理装置及び制御プログラムを提供することにある。
【課題を解決するための手段】
【００１２】
上記目的を達成するため、本発明は、両面印刷物の第１面と第２面とを対応付けて出力する動作モードが選択可能な画像処理装置において、画像読取部と、前記動作モードが選択された場合に、前記画像読取部で読み取った前記両面印刷物の第１画像及び第２画像を解析し、前記第１画像及び前記第２画像の双方に特定のオブジェクトが含まれる場合、若しくは、前記第１画像及び前記第２画像の双方に前記特定のオブジェクトが含まれない場合は、前記第１画像及び前記第２画像が、前記両面印刷物の表面画像及び裏面画像の組み合わせではないと判断して警告を行う制御部と、を備えるものである。
【００１３】
また、本発明は、画像読取部を備え、両面印刷物の第１面と第２面とを対応付けて出力する動作モードが選択可能な画像処理装置で動作する制御プログラムであって、前記画像処理装置を、前記動作モードが選択された場合に、前記画像読取部で読み取った前記両面印刷物の第１画像及び第２画像を解析し、前記第１画像及び前記第２画像の双方に特定のオブジェクトが含まれる場合、若しくは、前記第１画像及び前記第２画像の双方に前記特定のオブジェクトが含まれない場合は、前記第１画像及び前記第２画像が、前記両面印刷物の表面画像及び裏面画像の組み合わせではないと判断して警告を行う制御部、として機能させるものである。
【発明の効果】
【００１４】
本発明の画像処理装置及び制御プログラムによれば、ＩＤカードが裏返されたことを簡便かつ正確に判断し、ＩＤカードの表面の画像と裏面の画像とを適切に対応付けることができる。
【００１５】
その理由は、画像処理装置（制御プログラム）では、ＩＤカードなどの両面印刷物の第１面と第２面とを対応付けて出力する動作モードが選択された場合に、両面印刷物から読み取った第１画像及び第２画像の双方に写真又は特定のキーワード又は特定のマークを含む、若しくは、第１画像及び第２画像の双方に写真又は特定のキーワード又は特定のマークを含まない場合、第１画像及び第２画像が、両面印刷物の表面画像及び裏面画像の組み合わせではない（すなわち、両面印刷物が裏返されていない）と判断して警告を行うからである。
【図面の簡単な説明】
【００１６】
【図１】本発明の一実施例に係る画像処理装置の外観構成を示す図である。
【図２】本発明の一実施例に係る画像処理装置の構成を示すブロック図である。
【図３】本発明の一実施例に係る画像処理装置の処理（ＩＤコピー／ＩＤスキャン設定処理）を示すフローチャート図である。
【図４】本発明の一実施例に係る画像処理装置に表示される画面（ＩＤコピー／ＩＤスキャン設定画面）の一例を示す図である。
【図５】本発明の一実施例に係る画像処理装置の処理（ＩＤコピーモード時の処理）を示すフローチャート図である。
【図６】本発明の一実施例に係る画像処理装置の処理（ＩＤスキャンモード時の処理）を示すフローチャート図である。
【図７】本発明の一実施例に係る画像処理装置のＩＤコピーモード／ＩＤスキャンモードにおける表裏確認処理を示すフローチャート図である。
【発明を実施するための形態】
【００１７】
背景技術で示したように、ＩＤコピー／ＩＤスキャンでは、一つのＩＤカードの表面と裏面を個別にスキャンし、2in1に集約した画像を作成し、その画像を印刷したり電子データとして出力したりするため、ＩＤカードが裏返されたことを確実に判断することが重要となる。そこで、特許文献１では、表面の読み込み処理の後、原稿カバーの開閉を検知したら、裏面に置き換えられたと判断しているが、この方法では、表面のままでも原稿カバーの開閉があれば裏面に置き換えられたと判断され、別のカードの表面がセットされた場合も裏面に置き換えられたと判断されてしまう。また、特許文献２では、読み取った画像データの内容を詳細に解析することによりページめくり忘れを判断しているが、この方法では、原稿を裏返さずに１８０度回転させた場合や、異なるページでライン上の黒い画素数が偶然一致した場合も、異なるデータと認識されてしまう。
【００１８】
ここで、通常の原稿では両面に写真がある場合や両面に写真がない場合もあり得るが、ＩＤカードの場合は一般的に第１面（表面）に写真があり、第２面（裏面）には写真がないため、第１面と第２面の両方に写真がある場合や、第１面と第２面のいずれにも写真がない場合は、ＩＤカードが裏返されていないと判断することができる。また、通常、ＩＤカードは各カード固有のフォーマットに従って作成されるため、第１面と第２面の両方に、フォーマットに応じた特定のキーワードや特定のマークがある場合や、第１面と第２面のいずれにも特定のキーワードや特定のマークがない場合は、ＩＤカードが裏返されていないと判断することができる。
【００１９】
そこで、本発明の一実施の形態では、このようなＩＤカードの特質を考慮し、写真や特定のキーワード、特定のマークなどの特定のオブジェクトの有無に基づいて、ＩＤカードが裏返されたことを簡便かつ正確に判断し、ＩＤカードの表面の画像と裏面の画像とを適切に対応付けることができるようにする。
【００２０】
具体的には、ＩＤカードを紙媒体にコピーしたり電子データとして出力したりする場合において、ＩＤカードの第１面と第２面とを関連付けて出力する動作モードが選択された場合に、ＩＤカードから読み取った第１画像及び第２画像に写真又は特定のキーワード又は特定のマークが含まれているか否かを判断し、第１画像及び第２画像の双方に写真又は特定のキーワード又は特定のマークを含む場合、あるいは、第１画像及び第２画像の双方に写真画像又は特定のキーワード又は特定のマークを含まない場合に、この第１画像及び第２画像が、ＩＤカードの表面画像及び裏面画像の組み合わせではない（ＩＤカードを裏返していない操作ミス）と判断して警告を行うようにする。
【実施例】
【００２１】
上記した本発明の実施の形態についてさらに詳細に説明すべく、本発明の一実施例に係る画像処理装置及び制御プログラムについて、図１乃至図７を参照して説明する。図１は、本実施例の画像処理装置の外観構成を示す図であり、図２は、画像処理装置の構成を示すブロック図である。また、図３は、本実施例の画像処理装置のＩＤコピー／ＩＤスキャン設定処理を示すフローチャート図であり、図４は、画像処理装置に表示されるＩＤコピー／ＩＤスキャン設定画面の一例を示す図である。また、図５及び図６は、本実施例の画像処理装置のＩＤコピーモード／ＩＤスキャンモード時の処理を示すフローチャート図であり、図７は、ＩＤコピーモード／ＩＤスキャンモードにおける表裏確認処理を示すフローチャート図である。
【００２２】
本実施例の画像処理装置１０は、印刷物の画像を読み取るスキャン機能を備え、スキャン機能を用いて印刷物から読み取った画像を別々に出力する通常モードと、免許証やパスポート、社員証などのＩＤカードから読み取った第１面の画像と第２面の画像とを対応付けて出力する動作モード（本実施例ではＩＤコピーモード又はＩＤスキャンモードと呼ぶ。）と、が切り替え可能な装置である。この画像処理装置１０は、スキャン機能を用いて読み取った画像を紙媒体に印刷して出力する場合は図１（ａ）に示すような印刷装置となり、スキャン機能を用いて読み取った画像を電子データとして出力する場合は図１（ｂ）に示すようなスキャナ装置となる。以下の説明では、画像処理装置１０を印刷装置として説明する。
【００２３】
上記画像処理装置１０は、図２に示すように、制御部１１と、画像読取部１２と、表示部１３と、操作部１４と、給紙部１５と、印刷部１６と、排紙部１７などで構成される。
【００２４】
制御部１１は、各構成部を制御する部分であり、ＣＰＵ（Central Processing Unit）１１ａ、ＲＯＭ（Read Only Memory）やＲＡＭ（Random Access Memory）などのメモリ１１ｂ、ＨＤＤ（Hard Disk Drive）１１ｃ、通信Ｉ／Ｆ部１１ｄなどを備え、これらはバスを介して接続されている。ＣＰＵ１１ａは、各部の制御などを行う。メモリ１１ｂは、ＨＤＤ１１ｃ、画像読取部１２、通信Ｉ／Ｆ部１１ｄから読み込んだ種々のデータを一時的に記憶する部分で、記憶されたデータはＣＰＵ１１ａによって画像処理され、必要に応じてＨＤＤ１１ｃや印刷部１６に転送される。ＨＤＤ１１ｃは、ＣＰＵ１１ａが各部を制御するためのプログラム、自装置の処理機能に関する情報などを格納し、これらはＣＰＵ１１ａにより必要に応じて読み出され、メモリ１１ｂ上で実行処理される。通信Ｉ／Ｆ部１１ｄは、通信ネットワーク２０を介して繋がっている機器との接続を確立し、データの送信を行う。
【００２５】
上記制御部１１は、上述した通常モードとＩＤコピーモード又はＩＤスキャンモードとの切り替えを行い、ＩＤコピーモード又はＩＤスキャンモードが選択された場合に、画像読取部１２で読み取ったＩＤカードの第１画像及び第２画像を解析し、第１画像及び第２画像の双方に、写真又は特定のキーワード又は特定のマーク（これらを総称して特定のオブジェクトと呼ぶ。）を含む場合、若しくは、双方の画像に特定のオブジェクトを含まない場合に、第１画像及び第２画像がＩＤカードの表面画像と裏面画像の組み合わせではないと判断して所定の警告を行う。また、第１画像及び第２画像の一方のみに特定のオブジェクトを含む場合に、第１画像及び第２画像がＩＤカードの表面画像と裏面画像の組み合わせであると判断して、第１画像と第２画像とを並べて配置した画像を生成し、その画像データを印刷部１６に通知、若しくはＨＤＤ１１ｃに保存、若しくは通信Ｉ／Ｆ部１１ｄを介して出力する。
【００２６】
なお、上記機能はハードウェアとして実現してもよいし、画像処理装置１０に上記機能を実現させる制御プログラムとして構成し、当該制御プログラムを制御部１１上で動作させて実現してもよい。
【００２７】
画像読取部１２は、原稿台上に載置された印刷物（ＩＤカードなど）を光学的に読み取る部分であり、印刷物を走査する光源と、印刷物で反射された光を電気信号に変換するＣＣＤ（Charge Coupled Devices）等のイメージセンサと、電気信号をＡ／Ｄ変換するＡ／Ｄ変換器等により構成される。
【００２８】
表示部１３は、液晶表示装置（ＬＣＤ：Liquid Crystal Display）等からなり、画像処理装置１０を操作するための画面やＩＤコピー／ＩＤスキャンの設定画面、キーワードの入力画面等を表示する。また、操作部１４は、各種ボタン（スタートボタンなど）やスイッチ等からなり、通常モードとＩＤコピーモード又はＩＤスキャンモードとの切り替え操作、ＩＤコピー／ＩＤスキャンの設定操作、キーワードの入力操作などを可能にする。なお、表示部１３と操作部１４とは別々の装置としても良いし、表示部１３上に、透明電極が格子状に配置された静電式若しくは感圧式の操作部（タッチパネル）１４を設けた一体の装置としてもよく、タッチパネルの場合は、画面に表示されるボタンやソフトウェアキーボードなどを用いて、上記操作を行うこともできる。
【００２９】
給紙部１５は、各種サイズの用紙を格納する用紙トレイ、特殊サイズの用紙を装填する手差しトレイなどで構成される。また、用紙トレイに格納された用紙や手差しトレイに装填された用紙を印刷部１６へ送り出す搬送系を含む。
【００３０】
印刷部１６は、電子写真方式や静電記録方式等の作像プロセスを利用した画像形成に必要な構成要素で構成され、通常モードの場合は個々の画像を給紙部１５から搬送された用紙上に形成し、ＩＤコピーモードの場合は第１画像と第２画像とを対応付けた画像（2in1画像）を給紙部１５から搬送された用紙上に形成する。
【００３１】
排紙部１７は、印刷部１６によって画像形成された用紙を排出する。
【００３２】
なお、図２は、本実施例の画像処理装置１０の一例であり、本実施例の制御が可能であれば、その構成は適宜変更可能である。例えば、図２では、画像処理装置１０に通信Ｉ／Ｆ部１１ｄを備える構成としているが、画像処理装置１０を単独で動作させる場合は通信Ｉ／Ｆ部１１ｄを省略してもよい。また、図２では、画像処理装置１０に給紙部１５と印刷部１６と排紙部１７とを備える構成としているが、画像処理装置１０をスキャナ装置とする場合はこれらを省略してもよい。
【００３３】
以下、上記構成の画像処理装置１０の処理について説明する。まず、ＩＤコピー／ＩＤスキャンに関する設定処理について、図３のフローチャート図及び図４の画面例を参照して説明する。
【００３４】
［ＩＤコピー／ＩＤスキャン設定処理］
制御部１１は、ＩＤコピー／ＩＤスキャンに関する設定を行うための設定画面を表示部１３に表示させる（Ｓ１０１）。この設定画面は、例えば、図４に示すように、表裏を確認するための要素として、写真を利用するか、キーワードを利用するか、バーコードを利用するかが選択可能になっており、キーワードを選択した場合は、そのキーワードを入力するための画面に遷移する登録ボタンなどが設けられている。
【００３５】
そして、ユーザが操作部１４を操作して、キーワードの欄をチェックし、登録ボタンを押下した場合は（Ｓ１０２：Ｙｅｓ）、制御部１１は、キーワードを入力するための画面を表示部１３に表示させてユーザにキーワードを入力させ（Ｓ１０３）、入力されたキーワードをメモリ１１ｂ又はＨＤＤ１１ｃに登録し（Ｓ１０４）、Ｓ１０１に戻って設定画面を表示部１３に表示させる。このキーワードとして任意の文字列を入力することができるが、ＩＤカードを識別可能にするために、免許証の場合は「運転免許証」などの文字列を入力することができる。
【００３６】
一方、キーワードの登録でない場合は（Ｓ１０２：Ｎｏ）、制御部１１は、ＯＫボタンが押下されたかを判断し（Ｓ１０５）、ＯＫボタンが押下されなければ、Ｓ１０１に戻って設定画面の表示を維持し、ＯＫボタンが押下された場合は、チェックされた表裏確認要素をメモリ１１ｂ又はＨＤＤ１１ｃに記憶して（Ｓ１０６）、ＩＤコピー／ＩＤスキャン設定処理を終了する。
【００３７】
なお、表裏確認要素として写真やバーコードを利用する場合、写真のサイズやカラー／モノクロ、配置、構図などを設定できるようにしたり、バーコードのサイズや種別（一次元バーコード／二次元バーコード（ＱＲコード（登録商標）））、配置などを設定できるようにしたりしてもよく、これらを設定することにより、ＩＤカードと、写真やバーコードを含む一般的な原稿と、を区別しやすくすることができる。
【００３８】
また、ここでは、表裏確認要素の特定のマークとしてバーコードを例示しているが、特定のマークはＩＤカードの発行元を識別するマーク（ロゴマーク）などとしてもよい。その場合は、各種ＩＤカードのロゴマークを予め登録しておき、その中から所定のロゴマークを選択できるようにしてもよいし、タッチパネル上でロゴマークを描いて登録できるようにしてもよい。
【００３９】
次に、ＩＤコピー／ＩＤスキャンに関する設定を行った後、ＩＤコピーモードが選択された場合の処理について、図５のフローチャート図を参照して説明する。
【００４０】
［ＩＤコピーモード時の処理］
まず、制御部１１（制御プログラム）は、表示部１３に「表面をセットしてください」などのメッセージを表示して、ＩＤカードの表面側を画像読取部１２に設置させる（Ｓ２０１）。そして、制御部１１（制御プログラム）は、スタートボタンの押下を監視し（Ｓ２０２）、スタートボタンの押下を検出したら、画像読取部１２を動作させて、１回目のスキャン（ＩＤカードの表面のスキャン）を行い（Ｓ２０３）、スキャン画像（表面画像）のデータをメモリ１１ｂ又はＨＤＤ１１ｃに記憶する。
【００４１】
次に、制御部１１（制御プログラム）は、表示部１３に「裏面をセットしてください」などのメッセージを表示して、ＩＤカードの裏面側を画像読取部１２に設置させる（Ｓ２０４）。そして、制御部１１（制御プログラム）は、スタートボタンの押下を監視し（Ｓ２０５）、スタートボタンの押下を検出したら、画像読取部１２を動作させて、２回目のスキャン（ＩＤカードの裏面のスキャン）を行い（Ｓ２０６）、スキャン画像（裏面画像）のデータをメモリ１１ｂ又はＨＤＤ１１ｃに記憶する。
【００４２】
次に、制御部１１（制御プログラム）は、表裏の確認を行う（Ｓ２０７）。このステップの詳細について図７を参照して説明する。まず、図４の設定画面１８で表裏確認要素として何が選択されたかを判断する（Ｓ４０１）。
【００４３】
表裏確認要素として写真が選択された場合は、１回目のスキャン画像及び２回目のスキャン画像を解析し、各々のスキャン画像の中に写真領域があるか否かを判定する（Ｓ４０２）。この写真領域の有無は、例えば、スキャン画像を構成する各ドットの色や色の変化、下地色のドットの有無などに基づいて判断することができる。また、写真が人物写真であるか否かは、スキャン画像の輪郭を抽出し、抽出した輪郭が予め登録された人物の輪郭と相似するか否かをパターン認識することにより判断することができる。そして、双方のスキャン画像に写真領域がある場合（Ｓ４０３：Ｙｅｓ）、又は、双方のスキャン画像に写真領域がない場合（Ｓ４０４：Ｙｅｓ）は、対象物はＩＤカードではないと考えられるため、確認結果をＮＧとする（Ｓ４０６）。一方、何れか一方のスキャン画像に写真領域がある場合（Ｓ４０３：ＮｏかつＳ４０４：Ｎｏ）は、対象物はＩＤカードであると考えられるため、確認結果をＯＫとする（Ｓ４０５）。
【００４４】
また、表裏確認要素としてキーワードが選択された場合は、１回目のスキャン画像及び２回目のスキャン画像を公知のＯＣＲ（Optical Character Reader）技術を用いて解析し、各々のスキャン画像の中に予め登録された又はユーザが入力した特定のキーワードが含まれているか否かを判定する（Ｓ４０７）。双方のスキャン画像に特定のキーワードがある場合（Ｓ４０８：Ｙｅｓ）、又は、双方のスキャン画像に特定のキーワードがない場合（Ｓ４０９：Ｙｅｓ）は、対象物はＩＤカードではないと考えられるため、確認結果をＮＧとする（Ｓ４１１）。一方、何れか一方のスキャン画像に特定のキーワードがある場合（Ｓ４０８：ＮｏかつＳ４０９：Ｎｏ）は、対象物はＩＤカードであると考えられるため、確認結果をＯＫとする（Ｓ４１０）。
【００４５】
また、表裏確認要素としてバーコードが選択された場合は、１回目のスキャン画像及び２回目のスキャン画像を解析し、各々のスキャン画像の中にバーコードがあるか否かを判定する（Ｓ４１２）。このバーコードの有無は、例えば、画像をパターン認識し、認識したパターンの中に、同じ長さの複数の平行な線があるか否か、複数の矩形が集合した領域があるか否か、ＱＲコード（登録商標）を示す特定のパターンがあるか否かなどに基づいて判断することができる。そして、双方のスキャン画像にバーコードがある場合（Ｓ４１３：Ｙｅｓ）、又は、双方のスキャン画像にバーコードがない場合（Ｓ４１４：Ｙｅｓ）は、対象物はＩＤカードではないと考えられるため、確認結果をＮＧとする（Ｓ４１６）。一方、何れか一方のスキャン画像にバーコードがある場合（Ｓ４１３：ＮｏかつＳ４１４：Ｎｏ）は、対象物はＩＤカードであると考えられるため、確認結果をＯＫとする（Ｓ４１５）。
【００４６】
なお、図７では、表裏確認要素として写真又は特定のキーワード又はバーコードのいずれか一つが選択されているものとしたが、２つ以上（例えば、写真と特定のキーワードの２つ）が選択されていてもよい。その場合は、双方のスキャン画像に写真がある場合、双方のスキャン画像に写真がない場合、双方のスキャン画像に特定のキーワードがある場合、双方のスキャン画像に特定のキーワードがない場合のいずれかに該当すれば確認結果をＮＧとし、いずれにも該当しなければ確認結果をＯＫとすればよい。
【００４７】
図５に戻って、制御部１１（制御プログラム）は、表裏の確認結果がＯＫであるか、ＮＧであるかを判断する（Ｓ２０８）。確認結果がＯＫであれば、制御部１１（制御プログラム）は、２回分のスキャン画像を並べて１ページの画像を生成し（Ｓ２０９）、印刷部１６は、その画像を用紙に印刷し（Ｓ２１０）、その後、Ｓ２０１に戻って次のＩＤカードのコピーを実施する。一方、確認結果がＮＧであれば、制御部１１（制御プログラム）は、「裏面を確認して最初からやり直してください」などのメッセージを表示部１３に表示した後（Ｓ２１１）、Ｓ２０２に戻って、再度ＩＤカードのコピーを実施する。
【００４８】
なお、ここでは表裏の確認結果がＮＧの場合に、Ｓ２０２に戻って表面のスキャンから実施させる構成としたが、例えば、Ｓ２１１で「裏面をセットしてください」などのメッセージを表示部１３に表示した後、Ｓ２０５に戻って裏面のスキャンからやり直すようにしてもよい。
【００４９】
次に、ＩＤコピー／ＩＤスキャンに関して設定された後、ＩＤスキャンモードが選択された場合の動作について、図６のフローチャート図を参照して説明する。
【００５０】
［ＩＤスキャンモード時の処理］
まず、ＩＤコピーモードの場合と同様に、制御部１１（制御プログラム）は、表示部１３に「表面をセットしてください」などのメッセージを表示して、ＩＤカードの表面側を画像読取部１２に設置させる（Ｓ３０１）。そして、制御部１１（制御プログラム）は、スタートボタンの押下を監視し（Ｓ３０２）、スタートボタンの押下を検出したら、画像読取部１２を動作させて、１回目のスキャン（ＩＤカードの表面のスキャン）を行い（Ｓ３０３）、スキャン画像（表面画像）のデータをメモリ１１ｂ又はＨＤＤ１１ｃに記憶する。
【００５１】
次に、制御部１１（制御プログラム）は、表示部１３に「裏面をセットしてください」などのメッセージを表示して、ＩＤカードの裏面側を画像読取部１２に設置させる（Ｓ３０４）。そして、制御部１１（制御プログラム）は、スタートボタンの押下を監視し（Ｓ３０５）、スタートボタンの押下を検出したら、画像読取部１２を動作させて、２回目のスキャン（ＩＤカードの裏面のスキャン）を行い（Ｓ３０６）、スキャン画像（裏面画像）のデータをメモリ１１ｂ又はＨＤＤ１１ｃに記憶する。
【００５２】
次に、制御部１１（制御プログラム）は、表裏の確認を行う（Ｓ３０７）。このステップの詳細は図７に示す通りであり、ＩＤコピーモードの場合と同様であるため説明は省略する。
【００５３】
次に、制御部１１（制御プログラム）は、表裏の確認結果がＯＫであるか、ＮＧであるかを判断する（Ｓ３０８）。確認結果がＯＫであれば、制御部１１（制御プログラム）は、ＩＤスキャンが成功したことを、ビープ音を鳴らすなどによってユーザに通知し（Ｓ３０９）、２回分のスキャン画像を並べて１ページの画像を生成し（Ｓ３１０）、その画像のデータをＰＤＦ（Portable Document Format）などの所定の画像フォーマットに変換してメモリ１１ｂ又はＨＤＤ１１ｃに記憶したり（Ｓ３１１）、通信Ｉ／Ｆ部１１ｄを介してユーザのコンピュータ装置などに送信したりする。その後、Ｓ３０１に戻って次のＩＤカードのスキャンを実施する。一方、確認結果がＮＧであれば、制御部１１（制御プログラム）は、ＩＤスキャンが失敗したことを、ビープ音を鳴らすなどによってユーザに通知し（Ｓ３１２）、「裏面を確認して最初からやり直してください」などのメッセージを表示部１３に表示した後（Ｓ３１３）、Ｓ３０２に戻って、再度ＩＤカードのスキャンを実施する。
【００５４】
なお、ここでも表裏の確認結果がＮＧの場合に、Ｓ３０２に戻って表面のスキャンから実施させる構成としたが、例えば、Ｓ３１３で「裏面をセットしてください」などのメッセージを表示部１３に表示した後、Ｓ３０５に戻って裏面のスキャンからやり直すようにしてもよい。
【００５５】
以上説明したように、画像処理装置１０をＩＤコピーモード又はスキャンモードで動作させる際、制御部１１（制御プログラム）は、第１のスキャン画像と第２のスキャン画像とを解析し、その双方に写真又は特定のキーワード又は特定のマーク（バーコード）が含まれる場合、若しくは、その双方に写真又は特定のキーワード又は特定のマーク（バーコード）が含まれない場合に、コピー／スキャンの対象物がＩＤカードでないと判断してユーザに警告し、いずれか一方のみに写真又は特定のキーワード又は特定のマーク（バーコード）が含まれる場合に、コピー／スキャンの対象物がＩＤカードであると判断して双方のスキャン画像を対応付けて出力するため、ＩＤカードが裏返されたことを簡便かつ正確に判断することができ、ＩＤカードの表面画像と裏面画像とを適切に対応付けることができる。
【００５６】
なお、本発明は上記実施例に限定されるものではなく、本発明の趣旨を逸脱しない限りにおいて、その構成や制御は適宜変更可能である。
【００５７】
例えば、上記実施例では、ＩＤカードの表裏面をコピー／スキャンする場合について説明したが、表面又は裏面の何れか一方のみに写真又は特定のキーワード又は特定のマークを有する任意の媒体に対して、本発明の制御を同様に適用することができる。
【００５８】
また、上記実施例では、ＩＤカードの表面の画像と裏面の画像とを識別するための要素として、写真と特定のキーワードと特定のマークを例示したが、ＩＤカードの表面又は裏面の一方に含まれ、他方に含まれない要素であればよく、例えば、特定の場所に描かれた線などを用いて表面の画像と裏面の画像とを識別してもよい。また、画像に含まれる各要素のレイアウトに基づいて表面の画像と裏面の画像とを識別してもよい。
【産業上の利用可能性】
【００５９】
本発明は、媒体の表裏面を読み取って、表面画像と裏面画像を対応付けて出力可能な画像処理装置に利用可能である。
【符号の説明】
【００６０】
１０  画像処理装置
１１  制御部
１１ａ  ＣＰＵ
１１ｂ  メモリ
１１ｃ  ＨＤＤ
１１ｄ  通信Ｉ／Ｆ部
１２  画像読取部
１３  表示部
１４  操作部
１５  給紙部
１６  印刷部
１７  排紙部
１８  設定画面
２０  通信ネットワーク
【図１】
2014064089.tif 000003
【図２】
2014064089.tif 000004
【図３】
2014064089.tif 000005
【図４】
2014064089.tif 000006
【図５】
2014064089.tif 000007
【図６】
2014064089.tif 000008
【図７】
2014064089.tif 000009